(57)【特許請求の範囲】
【請求項１】
情報を記録することができるホログラム記録媒体を複数設けたテープと、
隣接する前記ホログラム記録媒体の間の各間隙に設けられたスペーサと、
このテープの巻き取りおよび送り出しを制御して、該テープ上に設けられた複数のホログラム記録媒体のうちの所望のホログラム記録媒体を選択する選択手段と、
この選択されたホログラム記録媒体に対して情報の書き込みまたは読み出しを行う読み書き手段と
を有することを特徴とする光メモリ装置。
【請求項２】
情報を記録することができるホログラム記録媒体を複数円周方向に設けたディスクと、
隣接する前記ホログラム記録媒体の間の各間隙に設けられたスペーサと、
このディスクの回転を制御して、該ディスクに設けられた複数のホログラム記録媒体のうちの所望のホログラム記録媒体を選択する選択手段と、
この選択させたホログラム記録媒体に対して情報の書き込みまたは読み出しを行う読み書き手段と
を有することを特徴とする光メモリ装置。
【請求項３】
情報を記録することができるホログラム記録媒体を複数周面に設けた円筒体と、
隣接する前記ホログラム記録媒体の間の各間隙に設けられたスペーサと、
この円筒体の回転を制御して、該円筒体の周面に設けられた複数のホログラム記録媒体のうちの所望のホログラム記録媒体を選択する選択手段と、
この選択させたホログラム記録媒体に対して情報の書き込みまたは読み出しを行う読み書き手段と
を有することを特徴とする光メモリ装置。
【請求項４】
前記複数のホログラム記録媒体は、前記テープの表面または裏面または表面と裏面の両面に設けられることを特徴とする請求項１記載の光メモリ装置。
【請求項５】
前記複数のホログラム記録媒体は、前記ディスクの表面または裏面または表面と裏面の両面に設けられることを特徴とする請求項２記載の光メモリ装置。
【請求項６】
前記複数のホログラム記録媒体は、前記円筒体の外周面または内周面または外周面と内周面の両面に設けられることを特徴とする請求項３記載の光メモリ装置。
【請求項７】
前記読み書き手段は、隣接する第１の前記ホログラム記録媒体と第２の前記ホログラム記録媒体にそれぞれ書き込まれた第１の情報と第２の情報とをそれぞれ読み出し可能な第１の読み書き装置及び第２の読み書き装置を備えるものであって、当該第２の読み書き装置に接続された記憶部と、当該記憶部と前記第１の読み書き装置とに接続され情報の読み取り及び再生が可能な情報再生部とを更に有し、
前記第１の読み書き装置は、
前記第１の情報を前記第１のホログラム記録媒体から読み出す読み出し手段と、
読み出した当該第１の情報を前記情報再生部に送信する送信手段とを有し、
前記第２の読み書き装置は、
前記第２の情報を前記第２のホログラム記録媒体から読み出す読み出し手段と、
読み出した当該第２の情報を前記記憶部に記憶させる記憶手段とを有し、
前記情報再生部は、
前記第１の情報を前記第１の読み書き装置から受信した後、前記第２の情報を前記記憶部から読み出す読み出し手段を有することを特徴とする請求項１乃至６のいずれか１項に記載の光メモリ装置。
【発明の詳細な説明】
【０００１】
【発明の属する技術分野】
本発明は、光を利用したホログラム記録媒体である積層導波路ホログラム光メモリチップを複数利用して構成される光メモリ装置に関する。
【０００２】
【従来の技術】
積層導波路ホログラム光メモリチップは、図８に符号１０で示すように、各々が保護層１１で保護された記録膜１２を複数（１１ａ，１２ａ；１１ｂ，１２ｂ；１１ｃ，１２ｃ；…）積み重ねて構成され、各１枚の記録膜１２毎に情報を記録できるようになっている。この光メモリチップ１０であるホログラム記録媒体は積層導波路ホログラム光カード記録の基本となるものであり、保護層１１と記録膜１２からなる層は約１００層程度重ねられて、積層導波路ホログラム光メモリチップの大容量記録媒体として使用される。
【０００３】
この図８に示した光メモリチップ１０に対して情報の書き込みおよび読み出しを行う光学記録系の基本構成は、図９に示すように、光メモリチップ１０に対して横から参照光２２を照射するレーザ２１と、物体光２４を下方から照射する図示しない手段と、光メモリチップ１０の上方に設けられ、情報を読み取るＣＣＤ２３とから構成される。
【０００４】
このように構成される光学系を用いて、光メモリチップ１０に情報を書き込むには、レーザ２１から発生する参照光２２を光メモリチップ１０の横から保護層１１と記録膜１２からなる記録部の１層分の扁平ビームにして光メモリチップ１０に照射するとともに、光メモリチップ１０の下方から物体光２４を光メモリチップ１０に照射し、これにより光メモリチップ１０の物体光２４に対応する情報を記録する。
【０００５】
また、上述したように記録された情報を光メモリチップ１０から読み出すには、光メモリチップ１０に対して横からレーザ２１からの１層分の扁平レーザ光の参照光２２を照射し、光メモリチップ１０の上方に設けられたＣＣＤ２３で情報を読み取るようになっている。
【０００６】
【発明が解決しようとする課題】
上述したホログラム記録媒体である光メモリチップ１０は、高記録密度を有するが、小さいため記録容量が少なく、大容量のデータを記録することが従来困難であるという問題がある。
【０００７】
また、従来は、光メモリチップ１０の読み書き装置への装着や取り出しをチップ毎に行う必要があり、チップの交換に時間がかかるという問題がある。
【０００８】
本発明は、上記に鑑みてなされたもので、その目的とするところは、ホログラム記録媒体を複数、テープ、ディスク、円筒体に設けることにより大容量で高速に読み書きを行うことができる光メモリ装置を提供することにある。
【０００９】
【課題を解決するための手段】
上記目的を達成するため、請求項１記載の本発明は、情報を記録することができるホログラム記録媒体を複数設けたテープと、隣接する前記ホログラム記録媒体の間の各間隙に設けられたスペーサと、このテープの巻き取りおよび送り出しを制御して、該テープ上に設けられた複数のホログラム記録媒体のうちの所望のホログラム記録媒体を選択する選択手段と、この選択されたホログラム記録媒体に対して情報の書き込みまたは読み出しを行う読み書き手段とを有することを要旨とする。
【００１０】
請求項１記載の本発明にあっては、テープ上に複数のホログラム記録媒体を設け、テープの巻き取りおよび送り出しを制御して、テープ上の複数のホログラム記録媒体のうちの所望のホログラム記録媒体を選択し、この選択したホログラム記録媒体に対して情報の書き込みまたは読み出しを行うため、テープ上に設けたホログラム記録媒体により大容量の情報を連続して読み書きすることができる高速超大容量の光メモリ装置を実現することができる。また、隣接するホログラム記録媒体の間の各間隙にスペーサが設けられているので、テープ上に複数のホログラム記録媒体を貼り付けたことによる凹凸を無くして、表面を滑らかにすることができ、これによりテープの走行をスムーズに行うことができる。
【００１１】
また、請求項２記載の本発明は、情報を記録することができるホログラム記録媒体を複数円周方向に設けたディスクと、隣接する前記ホログラム記録媒体の間の各間隙に設けられたスペーサと、このディスクの回転を制御して、該ディスクに設けられた複数のホログラム記録媒体のうちの所望のホログラム記録媒体を選択する選択手段と、この選択させたホログラム記録媒体に対して情報の書き込みまたは読み出しを行う読み書き手段とを有することを要旨とする。
【００１２】
請求項２記載の本発明にあっては、ディスク上に複数のホログラム記録媒体を設け、ディスクの回転を制御して、ディスク上の複数のホログラム記録媒体のうちの所望のホログラム記録媒体を選択し、この選択させたホログラム記録媒体に対して情報の書き込みまたは読み出しを行うため、ディスク上に設けたホログラム記録媒体により大容量の情報を連続して読み書きすることができる高速超大容量の光メモリ装置を実現することができる。また、隣接するホログラム記録媒体の間の各間隙にスペーサが設けられているので、ディスク上に複数のホログラム記録媒体を貼り付けたことによる凹凸を無くして、表面を滑らかにすることができ、これによりディスクの走行をスムーズに行うことができる。
【００１３】
更に、請求項３記載の本発明は、情報を記録することができるホログラム記録媒体を複数周面に設けた円筒体と、隣接する前記ホログラム記録媒体の間の各間隙に設けられたスペーサと、この円筒体の回転を制御して、該円筒体の周面に設けられた複数のホログラム記録媒体のうちの所望のホログラム記録媒体を選択する選択手段と、この選択させたホログラム記録媒体に対して情報の書き込みまたは読み出しを行う読み書き手段とを有することを要旨とする。
【００１４】
請求項３記載の本発明にあっては、円筒体の周面に複数のホログラム記録媒体を設け、円筒体の回転を制御して、円筒体の周面上の複数のホログラム記録媒体のうちの所望のホログラム記録媒体を選択し、この選択させたホログラム記録媒体に対して情報の書き込みまたは読み出しを行うため、円筒体の周面上に設けたホログラム記録媒体により大容量の情報を連続して読み書きすることができる高速超大容量の光メモリ装置を実現することができる。また、隣接するホログラム記録媒体の間の各間隙にスペーサが設けられているので、円筒体上に複数のホログラム記録媒体を貼り付けたことによる凹凸を無くして、表面を滑らかにすることができ、これにより円筒体の走行をスムーズに行うことができる。
【００１５】
請求項４記載の本発明は、請求項１記載の発明において、前記複数のホログラム記録媒体が、前記テープの表面または裏面または表面と裏面の両面に設けられることを要旨とする。
【００１６】
また、請求項５記載の本発明は、請求項２記載の発明において、前記複数のホログラム記録媒体が、前記ディスクの表面または裏面または表面と裏面の両面に設けられることを要旨とする。
【００１７】
更に、請求項６記載の本発明は、請求項３記載の発明において、前記複数のホログラム記録媒体が、前記円筒体の外周面または内周面または外周面と内周面の両面に設けられることを要旨とする。
請求項７記載の本発明は、請求項１乃至６記載の発明において、前記読み書き手段が、隣接する第１の前記ホログラム記録媒体と第２の前記ホログラム記録媒体にそれぞれ書き込まれた第１の情報と第２の情報とをそれぞれ読み出し可能な第１の読み書き装置及び第２の読み書き装置を備えるものであって、当該第２の読み書き装置に接続された記憶部と、当該記憶部と前記第１の読み書き装置とに接続され情報の読み取り及び再生が可能な情報再生部とを更に有し、前記第１の読み書き装置は、前記第１の情報を前記第１のホログラム記録媒体から読み出す読み出し手段と、読み出した当該第１の情報を前記情報再生部に送信する送信手段とを有し、前記第２の読み書き装置は、前記第２の情報を前記第２のホログラム記録媒体から読み出す読み出し手段と、読み出した当該第２の情報を前記記憶部に記憶させる記憶手段とを有し、前記情報再生部は、前記第１の情報を前記第１の読み書き装置から受信した後、前記第２の情報を前記記憶部から読み出す読み出し手段を有することを要旨とする。
請求項７記載の本発明にあっては、情報再生部が、第１のホログラム記録媒体に書き込まれた第１の情報を第１の読み書き装置から受信した後に、第１のホログラム記録媒体に隣接する第２のホログラム記録媒体に書き込まれた第２の情報を記憶部から読み出すので、テープ等が移動した場合であっても、途切れないように連続して情報を読み取ることができる。
【００１８】
【発明の実施の形態】
以下、図面を用いて本発明の実施の形態を説明する。図１は、本発明の一実施形態に係る光メモリ装置の構成を示す図である。同図に示す光メモリ装置は、テープ送り出しロータ５０と、テープ巻取りロータ５１と、一端がテープ送り出しロータ５０に取り付けられて巻回され、他端がテープ巻取りロータ５１に取り付けられ巻回されて、両ロータ間に張り渡されるとともに、表面に図８で説明した前記ホログラム記録媒体である光メモリチップが多数設けられている光メモリチップ付ガイドテープ５２と、およびこの光メモリチップ付ガイドテープ５２に設けられた多数の光メモリチップに対して情報の書き込みおよび読み出しを行う読み書き装置５３とから構成されている。
【００１９】
光メモリチップ付ガイドテープ５２は、図２に示すように、テープ本体であるガイドテープ３０上に間隙３２をあけて多数の光メモリチップ３１を貼り付けて構成される。この光メモリチップ３１は、図８および図９で説明したように保護層１１で保護された記録膜１２を複数（１１ａ，１２ａ；１１ｂ，１２ｂ；１１ｃ，１２ｃ；…）積み重ねて構成されるホログラム記録媒体、すなわち積層導波路ホログラム光メモリチップである。
【００２０】
本実施形態では、光メモリチップ付ガイドテープ５２は、図３（ａ）に横から見た図を示すように、ガイドテープ３０の一方の面にのみ光メモリチップ３１が多数貼り付けられて構成され、隣接する光メモリチップ３１の間の各間隙３２には図示しないが、例えばスペーサなどを設けることにより、ガイドテープ３０上に光メモリチップ３１を貼り付けたことによる凹凸を無くして、表面を滑らかにすることができ、これによりテープの走行をスムーズに行うことができる。
【００２１】
また、光メモリチップ付ガイドテープ５２は、図３（ｂ）に横から見た図を示すように、ガイドテープ４２の表面と裏面の両面に光メモリチップ４３，４４を多数貼り付けて構成されてもよい。すなわち、光メモリチップはガイドテープ５２の表面または裏面または表面と裏面の両面に設けてもよいものである。
【００２２】
上述したように構成される図１に示す光メモリ装置において、ガイドテープ５２に貼り付けられた光メモリチップに対して情報の読み書きを行うには、テープ送り出しロータ５０およびテープ巻取りロータ５１を図示しない駆動装置で回転駆動してガイドテープ５２を走行させ、読み書きしたい光メモリチップを読み書き装置５３の場所に持ってくる。それから、読み書きしたい光メモリチップの記録層を読み書き装置５３に移動し、その記録層に対して情報の読み書きを行う。なお、テープ送り出しロータ５０およびテープ巻取りロータ５１による回転は順方向の回転だけでなく、逆回転でも光メモリチップに対して同じように情報の読み書きを行うことができる。
【００２３】
上述したように本実施形態では、ガイドテープ５２上に多数の光メモリチップを連続的に貼り付け、テープ送り出しロータ５０およびテープ巻取りロータ５１でガイドテープ５２を走行させることにより連続的に移動する光メモリチップに対して情報の読み書きを連続的に行うことができる。そして、多数の光メモリチップを貼り付けたガイドテープ５２をテープ送り出しロータ５０またはテープ巻取りロータ５１に巻き取っておくことにより大容量の情報をコンパクトに記憶することができる。
【００２４】
次に、図４および図５を参照して、上述したようにガイドテープ５２に貼り付けた多数の光メモリチップ間に間隙３２がある場合の連続読み取り動作の原理について説明する。
【００２５】
図４は、この連続読み取り動作を実施する装置の構成を示す図であり、この装置は、第１の読み書き装置６０１と、第２の読み書き装置６０２と、バッファ記憶部６０４と、情報再生部６０５とから構成されている。なお、６０３はガイドテープ５２の移動方向である。
【００２６】
このように構成される連続読み取り動作について図５に示すタイムチャートを参照して説明する。なお、図５（ａ）は、第１の読み書き装置６０１のデータ読み取り動作を示すタイムチャート、図５（ｂ）は、第２の読み書き装置６０２のデータ読み取り動作を示すタイムチャート、図５（ｃ）は、情報再生部６０５のデータを示すタイムチャートである。
【００２７】
まず、ガイドテープ５２を６０３で示すテープ移動方向に移動させ、第１の読み書き装置６０１でガイドテープ５２に設けられた光メモリチップのデータ（１）６０６を図５（ａ）に示すように読み取る。この時、第２の読み書き装置６０２はガイドテープ５２上において次に来る光メモリチップのデータ（２）６１０を読み取っている。ここで、図５（ｂ）に示すように、データ（２）６１０をバッファ記憶部６０４にバッファ記憶データ（１）６１２として読み取っておく。なお、バッファ記憶部６０４のデータ量は、図５（ａ）に示す間隙（１）６０８のテープの移動量時間分だけ読み取っておくようにすると、バッファ記憶部６０４に余分なメモリを設けずに済んで経済的である。
【００２８】
また、情報再生部６０５の読み取りデータは、図５（ｃ）に示すように、データ（１）６１４である。この時、データ（２）６１０はバッファ記憶部６０４に読み取っておく。次に、データ（２）６１０を第１の読み書き装置６０１で読み取るが、その前にガイドテープ５２が移動すると、データ（２）６１５との間に間隙（１）６０８ができて、情報の連続転送が途切れることになる。その時のために、バッファ記憶部６０４に予め蓄積していたバッファ記憶データ（１）６１２を読み取り、このデータを情報再生部６０５に送り、情報が途切れないように連続して情報の読み取りを行う。
【００２９】
以上と同様にして、次にデータ（２）６０７を第１の読み書き装置６０１で読み取り、次に間隙（２）６０９が来た時、データ（２）６１５を読み出してからデータ（３）６１１をバッファ記憶部６０４にバッファ記憶データ（２）６１３として蓄積しておき、間隙（２）６０９が来た時、情報再生部６０５へバッファ記憶部６０４のバッファ記憶データ（２）６１３を情報として送るという動作を同様に繰り返し行うことにより情報の転送を途切れないように行うことができる。
【００３０】
なお、上記実施形態では、光メモリチップ付ガイドテープ５２においては、多数の光メモリチップを貼り付ける場合について説明したが、貼り付けるのみでなく、例えば光メモリチップであるホログラム記録媒体を記録層としてガイドテープ５２上に塗布してもよく、このように構成することにより、大量の記録層を簡便に作製することができる。また、ガイドテープ５２は、光メモリチップ１０の裏から前記物体光を照射し得るように透明であることが好ましい。更に、本実施形態の光メモリ装置は、情報の読み取り書き込み用記録媒体としてだけでなく、１回書き込みができる追記（ライトワンス）媒体にも使用可能であるし、また更に読み取り専用メモリ（ＲＯＭ）としても使用することができるものである。
【００３１】
次に、図６を参照して、本発明の他の実施形態に係る光メモリ装置について説明する。同図に示す実施形態の光メモリ装置は、ディスク基板７０上の円周方向に多数の光メモリチップ７１を間隙をあけて貼り付けるとともに、ディスク基板７０の円周上の光メモリチップ７１の間の適当な位置に光メモリチップ７１に対する情報の読み書きを行う読み書き装置７２を設けて構成されるものである。なお、同図において、ディスク基板７０を回転させるためのモータは省略させている。
【００３２】
また、ディスク基板７０上の円周方向において隣接する光メモリチップ７１の間の各間隙には図示しないが、例えばスペーサなどを設けることにより、ディスク基板７０上に光メモリチップ７１を貼り付けたことによる凹凸を無くして、表面を滑らかにすることができる。これによりディスク基板７０の走行をスムーズに行うことができる。
【００３３】
このように構成される本実施形態の光メモリ装置において、ディスク基板７０上の円周方向に貼り付けられた光メモリチップ７１に対して情報の読み書きを行うには、図示しないモータを回転駆動してディスク基板７０を回転させ、読み書きしたい光メモリチップ７１を読み書き装置７２の場所に持ってくる。それから、読み書きしたい光メモリチップ７１の記録層を読み書き装置７２に移動し、その記録層に対して情報の読み書きを行う。なお、ディスク基板７０の回転は順方向の回転だけではなく、逆回転でも光メモリチップに対して同じように情報の読み書きを行うことができる。
【００３４】
このように構成されるディスク基板７０上の円周方向に多数の光メモリチップ７１を配設した光メモリ装置では、読み書きしたい所望の光メモリチップ７１へのアクセス、そして必要な情報へのアクセスをディスク基板７０の回転によって高速に行うことができる。
【００３５】
なお、図示しないが、上述した図４および図５で示したと同様に、読み書き装置７２を隣接して２台設けることにより、第１の読み書き装置で情報の読み書きを行っている間に、次にアクセスする光メモリチップ７１を第２の読み書き装置で情報の読み書きを行い、その情報を別に設けたバッファ記憶部に記憶しておき、第１の読み書き装置における該当の光メモリチップ７１の読み書き処理が終わって、次に読み書きする光メモリチップ７１を移動している間は先に記憶したバッファ記憶部の情報を使用することにより、光メモリチップ７１の移動中の情報転送の間隙を無くすようにして情報を間断なく連続して読み書きすることが可能である。
【００３６】
なお、図示しないが、ディスク基板７０を同一回転軸に層状に積み上げるように構成することにより、更に大容量の記録装置として構成することができる。また、ディスク基板７０は円形である必要はなく、多角形でもよいものである。更に、ディスク基板７０は光メモリチップ７１の裏から前記物体光を照射し得るように透明であることが好ましい。また更に、本実施形態の光メモリ装置は、情報の読み取り書き込み用記録媒体としてだけでなく、１回書き込みができる追記（ライトワンス）媒体にも使用可能であるし、また更に読み取り専用メモリ（ＲＯＭ）としても使用することができるものである。また、本実施形態では、光メモリチップ７１はディスク基板７０の一方の面、例えば表面に設けた場合について説明しているが、本発明はこれに限定されるものでなく、裏面または表面と裏面の両面に設けてもよいものであり、更に光メモリチップ７１は、ディスク基板７０に貼り付けるのみでなく、光メモリチップであるホログラム記録媒体を記録層としてディスク基板７０上に塗布してもよいものである。
【００３７】
次に、図７を参照して、本発明の別の実施形態に係る光メモリ装置について説明する。本実施形態の光メモリ装置は、円筒体であるドラム基板８０の周面上に多数の光メモリチップ８１を貼り付けるとともに、ドラム基板８０の周面上の光メモリチップ８１の間の適当な位置に光メモリチップ８１に対する情報の読み書きを行う読み書き装置８２を設けて構成されるものである。なお、同図において、ドラム基板８１を回転させるためのモータは省略させている。
【００３８】
なお、ドラム基板８０の周面上において隣接する光メモリチップ８１の間の各間隙には図示しないが、例えばスペーサなどを設けることにより、ドラム基板８０上に光メモリチップ８１を貼り付けたことによる凹凸を無くして、表面を滑らかにすることができる。これによりドラム基板８０の走行をスムーズに行うことができる。
【００３９】
このように構成される本実施形態の光メモリ装置において、ドラム基板８０の周面上に貼り付けられた光メモリチップ８１に対して情報の読み書きを行うには、図示しないモータを回転駆動してドラム基板８０を回転させ、読み書きしたい光メモリチップ８１を読み書き装置８２の場所に持ってくる。それから、読み書きしたい光メモリチップ８１の記録層を読み書き装置８３に移動し、その記録層に対して情報の読み書きを行う。なお、ドラム基板８０の回転は順送りのみでなく、逆回転でも光メモリチップに対して同じように情報の読み書きを行うことができる。
【００４０】
このように構成されるドラム基板８０の周面上に多数の光メモリチップ８１を配設した光メモリ装置では、読み書きしたい所望の光メモリチップ８１へのアクセス、そして必要な情報へのアクセスをドラム基板８０の回転によって高速に行うことができる。
【００４１】
なお、図示しないが、上述した図４および図５で示したと同様に、読み書き装置８２を隣接して２台設けることにより、第１の読み書き装置で情報の読み書きを行っている間に、次にアクセスする光メモリチップ８１を第２の読み書き装置で情報の読み書きを行い、その情報を別に設けたバッファ記憶部に記憶しておき、第１の読み書き装置における該当の光メモリチップ８１の読み書き処理が終わって、次に読み書きする光メモリチップ８１を移動している間は先に記憶したバッファ記憶部の情報を使用することにより、光メモリチップ８１の移動中の情報転送の間隙を無くすようにして情報を間断なく連続して読み書きすることが可能である。
【００４２】
なお、図示しないが、ドラム基板８０を同一回転軸に層状に積み上げるように構成することにより、より大容量の記録装置として構成することができる。また、ドラム基板８０を構成する円筒体は、光メモリチップ８１の裏から前記物体光を照射し得るように透明であることが好ましい。更に、本実施形態の光メモリ装置は、情報の読み取り書き込み用記録媒体としてだけでなく、１回書き込みができる追記（ライトワンス）媒体にも使用可能であるし、また更に読み取り専用メモリ（ＲＯＭ）としても使用することができるものである。また、本実施形態では、光メモリチップ８１はドラム基板８０の外周面に設けた場合について説明しているが、本発明はこれに限定されるものでなく、内周面または外周面と内周面の両面に設けてもよいものであり、更に光メモリチップ８１は、ドラム基板８０に貼り付けるのみでなく、光メモリチップであるホログラム記録媒体を記録層としてディスク基板７０上に塗布してもよいものである。
【００４３】
【発明の効果】
以上説明したように、本発明によれば、テープ上に複数のホログラム記録媒体を設け、このテープの巻き取りおよび送り出しを制御して、テープ上の複数のホログラム記録媒体のうちの所望のホログラム記録媒体を選択し、この選択したホログラム記録媒体に対して情報の書き込みまたは読み出しを行うので、テープ上に設けたホログラム記録媒体により大容量の情報を連続して読み書きすることができる高速超大容量の光メモリ装置を実現することができる。また、隣接するホログラム記録媒体の間の各間隙にスペーサが設けられているので、テープ上に複数のホログラム記録媒体を貼り付けたことによる凹凸を無くして、表面を滑らかにすることができ、これによりテープの走行をスムーズに行うことができる。
【００４４】
また、本発明によれば、ディスク上に複数のホログラム記録媒体を設け、ディスクの回転を制御して、ディスク上の複数のホログラム記録媒体のうちの所望のホログラム記録媒体を選択し、この選択させたホログラム記録媒体に対して情報の書き込みまたは読み出しを行うので、ディスク上に設けたホログラム記録媒体により大容量の情報を連続して読み書きすることができる高速超大容量の光メモリ装置を実現することができる。また、隣接するホログラム記録媒体の間の各間隙にスペーサが設けられているので、ディスク上に複数のホログラム記録媒体を貼り付けたことによる凹凸を無くして、表面を滑らかにすることができ、これによりディスクの走行をスムーズに行うことができる。
【００４５】
更に、本発明によれば、円筒体の周面に複数のホログラム記録媒体を設け、円筒体の回転を制御して、円筒体の周面上の複数のホログラム記録媒体のうちの所望のホログラム記録媒体を選択し、この選択させたホログラム記録媒体に対して情報の書き込みまたは読み出しを行うので、円筒体の周面上に設けたホログラム記録媒体により大容量の情報を連続して読み書きすることができる高速超大容量の光メモリ装置を実現することができる。また、隣接するホログラム記録媒体の間の各間隙にスペーサが設けられているので、円筒体上に複数のホログラム記録媒体を貼り付けたことによる凹凸を無くして、表面を滑らかにすることができ、これにより円筒体の走行をスムーズに行うことができる。
また、本発明によれば、情報再生部が、第１のホログラム記録媒体に書き込まれた第１の情報を第１の読み書き装置から受信した後に、第１のホログラム記録媒体に隣接する第２のホログラム記録媒体に書き込まれた第２の情報を記憶部から読み出すので、テープ等が移動した場合であっても、途切れないように連続して情報を読み取ることができる。
【図面の簡単な説明】
【図１】本発明の一実施形態に係る光メモリ装置の構成を示す図である。
【図２】図１に示す光メモリ装置に使用される光メモリチップ付ガイドテープの構成を示す図である。
【図３】図２に示す光メモリチップ付ガイドテープを横から見た図である。
【図４】図１に示す光メモリ装置に対する連続読み取り動作を実施する装置の構成を示す図である。
【図５】図４に示す連続読み取り装置の連続読み取り動作を示すタイムチャートである。
【図６】本発明の他の実施形態に係る光メモリ装置の構成を示す図である。
【図７】本発明の別の実施形態に係る光メモリ装置の構成を示す図である。
【図８】ホログラム記録媒体である光メモリチップの構成を示す斜視図である。
【図９】図８に示す光メモリチップに対して情報の書き込みおよび読み出しを行う光学記録系の基本構成を示す斜視図である。
【符号の説明】
１０，３１，４３，４４，７１，８１  光メモリチップ
１１  保護層
１２  記録膜
３０，４２  ガイドテープ
５０  テープ送り出しロータ
５１  テープ巻取りロータ
５２  光メモリチップ付ガイドテープ
５３，７２，８２  読み書き装置
７０  ディスク基板
８０  ドラム基板（円筒体）
【図１】
0003892330.tif 000002
【図２】
0003892330.tif 000003
【図３】
0003892330.tif 000004
【図４】
0003892330.tif 000005
【図５】
0003892330.tif 000006
【図６】
0003892330.tif 000007
【図７】
0003892330.tif 000008
【図８】
0003892330.tif 000009
【図９】
0003892330.tif 000010